(57)【要約】【課題】取得した大容量のデータを転送するために十分な通信環境が得られない状況において、取得したデータを転送先に転送することを可能にするデータ転送システムを提供する。【解決手段】データ転送システムは、所定の範囲内において所定のデータを送信可能な無線通信部を用いて、前記所定の範囲外にある転送先に前記所定のデータを転送するデータ転送システムであって、前記所定のデータを取得するデータ取得部と、前記データ取得部が取得した前記所定のデータを記憶するデータ記憶部と、前記無線通信部を用いて、前記所定の範囲内で検知された、前記転送先に移動する一の移動通信装置に、前記データ記憶部に記憶した前記所定のデータを転送する転送制御部と、を有する。【選択図】図５
2017216519.tif 000002
【特許請求の範囲】
【請求項１】
所定の範囲内において所定のデータを送信可能な無線通信部を用いて、前記所定の範囲外にある転送先に前記所定のデータを転送するデータ転送システムであって、
前記所定のデータを取得するデータ取得部と、
前記データ取得部が取得した前記所定のデータを記憶するデータ記憶部と、
前記無線通信部を用いて、前記所定の範囲内で検知された、前記転送先に移動する一の移動通信装置に、前記データ記憶部に記憶した前記所定のデータを転送する転送制御部と、
を有するデータ転送システム。
【請求項２】
前記データ記憶部は、
前記データ取得部が取得した前記所定のデータを、所定の単位に分割して記憶する請求項１に記載のデータ転送システム。
【請求項３】
前記転送制御部は、
前記データ記憶部が記憶した前記所定のデータを、所定の単位に分割して転送する請求項１に記載のデータ転送システム。
【請求項４】
前記転送制御部は、
前記一の移動通信装置への転送に失敗した前記所定のデータを、前記無線通信部を用いて前記所定の範囲内で検知された、前記一の移動通信装置とは別の移動通信装置に転送する請求項１乃至３のいずれか一項に記載のデータ転送システム。
【請求項５】
前記転送制御部は、
前記一の移動通信装置に転送に成功した前記所定のデータを、前記データ記憶部から削除する請求項１乃至４のいずれか一項に記載のデータ転送システム。
【請求項６】
前記転送先は、
１つ以上の前記移動通信装置に転送された前記所定のデータを収集して管理するデータ管理装置を有する請求項１乃至５のいずれか一項に記載のデータ転送システム。
【請求項７】
前記所定の範囲内で検知された前記移動通信装置から受信した電波の強度に基づいて、前記所定の無線通信の接続、又は切断を制御する通信制御部を有する請求項１乃至６のいずれか一項に記載のデータ転送システム。
【請求項８】
前記所定の範囲内で検知された前記移動通信装置が、予め定められた移動通信装置であるかを検証する認証部を有する請求項１乃至７のいずれか一項に記載のデータ転送システム。
【請求項９】
所定の範囲内において所定のデータを送信可能な無線通信部を用いて、前記所定の範囲外にある転送先に前記所定のデータを転送するデータ転送装置であって、
前記所定のデータを取得するデータ取得部と、
前記データ取得部が取得した前記所定のデータを記憶するデータ記憶部と、
前記無線通信部を用いて、前記所定の範囲内で検知された、前記転送先に移動する一の移動通信装置に、前記データ記憶部に記憶した前記所定のデータを転送する転送制御部と、
を有するデータ転送装置。
【請求項１０】
所定の範囲内において所定のデータを送信可能な無線通信部を用いて、前記所定の範囲外にある転送先に前記所定のデータを転送するコンピュータに、
前記所定のデータを取得するステップと、
前記取得した前記所定のデータを記憶するステップと、
前記無線通信部を用いて、前記所定の範囲内で検知された、前記転送先に移動する一の移動通信装置に、前記記憶した前記所定のデータを転送するステップと、
を実行させるためのプログラム。
【発明の詳細な説明】
【技術分野】
【０００１】
本発明は、データ転送システム、データ転送装置、及びプログラムに関する。
【背景技術】
【０００２】
近年、例えば、道路、施設、住宅等に監視カメラが設置され、監視カメラによる映像データが記録されている。また、このような映像データは、リアルタイムで監視を行うだけではなく、後で検証や証拠として分析するために、例えば、無線通信を含むネットワーク等を介して、監視センタ等に転送される場合がある。
【０００３】
また、カメラが画像データを分割して複数の部分データを作成して、作成した部分データを複数の無線通信でホストにパラレル送信し、ホストが部分データを復元して元のデータを復元するデータ転送システムが知られている（例えば、特許文献１参照）。
【発明の概要】
【発明が解決しようとする課題】
【０００４】
特許文献１に示すような、従来の無線技術を利用したデータ転送システムでは、日々進化する監視カメラの高解像度化、高フレームレート化に伴うデータ量の増大に対応できず、例えば、監視カメラの解像度やフレームレートを落としてデータの転送が行われる。
【０００５】
このように、従来の技術では、大容量の映像データを転送するために十分な通信環境が得られない状況において、監視カメラ等の高画質の映像データを、遠隔地にある監視センタ等の転送先に転送することには困難を伴っていた。
【０００６】
なお、このような問題は、監視カメラ等に限られず、取得した大容量のデータを転送するために十分な通信環境を得られない状況において、取得したデータを転送先に転送する様々なデータ転送システムに共通に存在する。
【０００７】
本発明の実施の形態は、上記の問題点に鑑みてなされたものであって、取得した大容量のデータを転送するために十分な通信環境が得られない状況において、取得したデータを転送先に転送することを可能にするデータ転送システムを提供することを目的とする。
【課題を解決するための手段】
【０００８】
上記課題を解決するため、本発明の一実施形態に係るデータ転送システムは、所定の範囲内において所定のデータを送信可能な無線通信部を用いて、前記所定の範囲外にある転送先に前記所定のデータを転送するデータ転送システムであって、前記所定のデータを取得するデータ取得部と、前記データ取得部が取得した前記所定のデータを記憶するデータ記憶部と、前記無線通信部を用いて、前記所定の範囲内で検知された、前記転送先に移動する一の移動通信装置に、前記データ記憶部に記憶した前記所定のデータを転送する転送制御部と、を有する。
【発明の効果】
【０００９】
本発明の一実施形態によれば、取得した大容量のデータを転送するために十分な通信環境が得られない状況において、取得したデータを転送先に転送することを可能にするデータ転送システムを提供することができるようになる。
【図面の簡単な説明】
【００１０】
【図１】一実施形態に係るデータ転送システムの概要を示す図である。
【図２】一実施形態に係るデータ転送装置のハードウェア構成例を示す図である。
【図３】一実施形態に係る移動通信装置のハードウェア構成例を示す図である。
【図４】一実施形態に係るデータ管理装置のハードウェア構成例を示す図である。
【図５】一実施形態に係るデータ転送システムの機能構成の一例を示す図である。
【図６】一実施形態に係るデータ転送システムの機能構成の別の一例を示す図である。
【図７】一実施形態に係るデータ転送装置の転送処理の例を示すフローチャートである。
【図８】一実施形態に係る移動通信装置の転送処理の例を示すフローチャートである。
【図９】一実施形態に係るデータ転送システムの転送処理の例を示すシーケンス図（１）である。
【図１０】一実施形態に係るデータ転送システムの転送処理の例を示すシーケンス図（２）である。
【図１１】一実施形態に係る転送データのイメージの例を示す図である。
【図１２】一実施形態に係る通信制御部の処理の例を示すフローチャートである。
【発明を実施するための形態】
【００１１】
以下に、本発明の実施の形態について、添付の図面を参照して説明する。
【００１２】
＜システムの構成＞
図１は、一実施形態に係るデータ転送システムの概要を示す図である。本実施形態に係るデータ転送システム１００は、所定の範囲内で所定のデータを高速に送信可能な無線通信部を用いて、所定の範囲外にある転送先に所定のデータを転送するシステムである。
【００１３】
図１において、データ転送システム１００は、例えば、データ転送装置１０１の一例である監視カメラ１０１Ａ、１つ以上の移動通信装置１０２−１〜１０２−３、及びデータ管理装置１０３等を有する。なお、以下の説明の中で、１つ以上の移動通信装置１０２−１〜１０２−３のうち、任意の移動通信装置を示す場合、「移動通信装置１０２」を用いる。
【００１４】
監視カメラ（データ転送装置の一例）１０１Ａは、例えば、道路１０４の交差点１０５に設けられた信号機１０６の近く等に設けられ、監視カメラ１０１Ａの周辺を撮影した映像データを取得する監視カメラである。また、監視カメラ１０１Ａは、例えば、ミリ波無線通信等の高速（例えば、１Ｇビット／秒以上等）の無線通信により、監視カメラ１０１Ａの通信範囲１１０内にある移動通信装置１０２−３に、撮影した映像データを転送することができる。
【００１５】
移動通信装置１０２は、例えば、道路１０４上の所定の経路を、所定の時間に通行する路線バス等の輸送機器、又は輸送機器に設けられた通信装置であり、データ転送装置１０１から転送された映像データを記憶可能である。
【００１６】
図１において、例えば、監視カメラ１０１Ａの通信範囲１１０内にある移動通信装置１０２−３は、前述した高速の無線通信（所定の無線通信）で、監視カメラ１０１Ａから転送された映像データを受信し、受信した映像データを記憶部に記憶する。
【００１７】
データ管理装置１０３は、例えば、移動通信装置１０２の移動先（例えば、バスターミナル１０７等）に設けられたＰＣ（Personal Computer ）等の情報処理装置である。データ管理装置１０３は、１つ以上の移動通信装置１０２−１〜１０２−３に転送された映像データを収集して、例えば、ストレージ装置や、ネットワーク上のストレージサーバ等に記憶して管理する。
【００１８】
データ管理装置１０３は、例えば、前述した高速の無線通信を介して、移動通信装置１０２に記憶された映像データを収集する。或いは、データ管理装置１０３は、有線接続により、移動通信装置１０２に記憶された映像データを収集するものであっても良いし、記録媒体等を用いて、移動通信装置１０２に記憶された映像データを収集するものであっても良い。
【００１９】
上記の構成より、データ転送システム１００は、監視カメラ１０１Ａが取得した高画質の映像データを、データ管理装置１０３に転送するために十分な通信環境が得られない状況においても、データ管理装置１０３転送することができる。
【００２０】
（別の一例）
別の一例として、データ転送装置１０１は、例えば、事件、事故等の様々な場所へ派遣される警察官や、火事現場の消防士等に装着されたボディカメラや、ウェアラブル端末等の移動カメラ１０１Ｂであっても良い。
【００２１】
移動カメラ（データ転送装置の別の一例）１０１Ｂは、例えば、移動カメラ１０１Ｂの利用者１０８に装着され、利用者１０８の周辺を撮影した映像データを取得するボディカメラや、ウェアラブル端末等である。また、移動カメラ１０１Ｂは、例えば、前述したミリ波無線通信等の高速の無線通信により、移動カメラ１０１Ｂの通信範囲１１１内にあるバス停１０９近くの移動通信装置１０２−２に、撮影した映像データを転送することができる。なお、移動カメラ１０１Ｂは、利用者１０８がバス等の輸送機器に乗車したときに等に、輸送機器に設けられた移動通信装置１０２−２に、撮影した映像データを転送することもできる。
【００２２】
移動通信装置１０２−２は、前述した高速の無線通信で、移動カメラ１０１Ｂから転送された映像データを受信し、受信した映像データを記憶部に記憶する。
【００２３】
データ管理装置１０３は、１つ以上の移動通信装置１０２−１〜１０２−３に転送された映像データを収集して、例えば、ストレージ装置や、ネットワーク情報ストレージサーバ等に記憶して管理する。
【００２４】
上記の構成より、データ転送システム１００は、移動カメラ１０１Ｂが取得した高画質の映像データを、データ管理装置１０３に転送するために十分な通信環境が得られない状況においても、高画質の映像データをデータ管理装置１０３転送することができる。
【００２５】
なお、図１に示すシステム構成は一例である。例えば、移動通信装置１０２は、例えば、電車、タクシー、トラック、船、航空機等の様々な輸送機器や、輸送機器に設けられた通信装置であっても良い。
【００２６】
また、データ転送装置１０１が取得する所定のデータは、映像データに限られず、例えば、温度、湿度、明るさ等の環境データであっても良いし、高音質の音声データ等であっても良い。
【００２７】
さらに、データ管理装置１０３は、データ転送装置１０１が所定のデータを転送する転送先の一例である。例えば、データ転送装置１０１が所定のデータを転送する転送先は、移動通信装置１０２等であっても良いし、データ管理装置１０３とネットワークで接続された各種のサーバや、クラウドサービス等であっても良い。
【００２８】
＜ハードウェア構成＞
（データ転送装置のハードウェア構成）
データ転送装置１０１は、例えば、ＣＰＵ（Central Processing Unit）２０１、ＲＡＭ（Random Access Memory）２０２、ストレージ装置２０３、カメラ２０４、マイク２０５、無線通信装置２０６、及びバス２０７等を有する。
【００２９】
ＣＰＵ２０１は、ストレージ装置２０３等に格納されたプログラムを実行することにより、データ転送装置１０１の各機能を実現する演算装置である。ＲＡＭ２０２は、ＣＰＵ２０１のワークエリア等として用いられる揮発性のメモリである。
【００３０】
ストレージ装置２０３は、例えば、ＨＤＤ（Hard Disk Drive）、ＳＳＤ（Solid State Drive）、フラッシュＲＯＭ（Read Only Memory）等の大容量記憶装置であり、プログラムや、カメラ２０４で撮影した映像データ等を記憶する。
【００３１】
カメラ２０４は、データ転送装置１０１の周辺の画像を撮影するための撮影装置である。マイク２０５は、データ転送装置１０１の周辺の音声を収音するための収音装置である。
【００３２】
無線通信装置２０６は、例えば、ミリ波無線通信等の高速（例えば、１Ｇビット／秒以上等）の無線通信を行う無線通信装置である。
【００３３】
例えば、データ転送装置１０１が、図１の監視カメラ１０１Ａである場合、データ転送装置１０１は、所定の時間毎（例えば、１０分〜６０分毎）の映像データを、ストレージ装置２０３に記憶する。この場合、無線通信装置２０６は、この所定の時間毎の映像データを、例えば、移動通信装置１０２−３が信号待ちをしている時間内に転送可能な通信速度であることが望ましい。ただし、これは、あくまで好適な一例であり、必須ではない。例えば、データ転送装置１０１は、所定の時間毎の映像データを、複数のデータに分割して移動通信装置１０２に転送しても良い。
【００３４】
バス２０７は、上記の各構成要素に接続され、アドレス信号、データ信号、及び各種制御信号等を伝送する。
【００３５】
（移動通信装置のハードウェア構成）
移動通信装置１０２は、例えば、ＣＰＵ３０１、ＲＡＭ３０２、ストレージ装置３０３、無線通信装置３０４、外部接続Ｉ／Ｆ３０５、及びバス３０６等を有する。
【００３６】
ＣＰＵ３０１は、ストレージ装置３０３等に格納されたプログラムを実行することにより、移動通信装置１０２の各機能を実現する演算装置である。ＲＡＭ３０２は、ＣＰＵ３０１のワークエリア等として用いられる揮発性のメモリである。
【００３７】
ストレージ装置３０３は、例えば、ＨＤＤ、ＳＳＤ、フラッシュＲＯＭ等の大容量記憶装置であり、プログラムや、データ転送装置１０１から転送された映像データ等を記憶する。
【００３８】
無線通信装置３０４は、データ転送装置１０１や、データ管理装置１０３等と同じ高速の無線通信で、データ転送装置１０１、又はデータ管理装置１０３等と通信を行う通信装置である。
【００３９】
外部接続Ｉ／Ｆ３０５は、外部装置を接続するためのインタフェースである。外部装置には、例えば、データ管理装置１０３や、記録媒体３１０等が含まれる。移動通信装置１０２は、外部接続Ｉ／Ｆ３０５を介して、例えば、データ管理装置１０３と有線通信を行うことができる。或いは、移動通信装置１０２は、外部接続Ｉ／Ｆ３０５を介して、記録媒体３１０の読取り及び／又は書き込みを行うことができる。記録媒体３１０には、例えば、光学ディスク、磁気ディスク、メモリカード、ＵＳＢ（Universal Serial Bus）メモリ等が含まれる。
【００４０】
バス３０６は、上記の各構成要素に接続され、アドレス信号、データ信号、及び各種制御信号等を伝送する。
【００４１】
（データ管理装置のハードウェア構成）
（管理装置のハードウェア構成）
図４は、一実施形態に係るデータ管理装置のハードウェア構成例を示す図である。データ管理装置１０３は、例えば、一般的なコンピュータの構成を有する情報処理装置、又は複数の情報処理装置を含むシステムである。
【００４２】
データ管理装置１０３は、例えば、ＣＰＵ４０１、４ＡＭ３０２、ＲＯＭ４０３、ストレージ装置４０４、無線通信装置４０５、入力装置４０６、表示装置４０７、外部接続Ｉ／Ｆ４０８、及びバス４０９等を有する。
【００４３】
ＣＰＵ４０１は、ＲＯＭ４０３やストレージ装置４０４等に格納されたプログラムやデータをＲＡＭ４０２上に読み出し、処理を実行することで、データ管理装置１０３の各機能を実現する演算装置である。ＲＡＭ４０２は、ＣＰＵ４０１のワークエリア等として用いられる揮発性のメモリである。ＲＯＭ４０３は、電源を切ってもプログラムやデータを保持することができる不揮発性のメモリである。
【００４４】
ストレージ装置４０４は、例えば、ＨＤＤや、ＳＳＤ等の大容量記憶装置であり、ＯＳ（Operation System）、アプリケーションプログラム、及び１つ以上の移動通信装置１０２に転送された所定のデータ（例えば、映像データ）等を記憶する。
【００４５】
無線通信装置４０５は、移動通信装置１０２等と同じ高速の無線通信で、移動通信装置１０２と通信を行う通信装置である。
【００４６】
入力装置４０６は、マウス等のポインティングデバイスや、キーボード等の入力デバイスであり、データ管理装置１０３に各操作信号を入力するために用いられる。
【００４７】
表示装置４０７はディスプレイ等の表示デバイスであり、データ管理装置１０３による処理結果等を表示する。
【００４８】
外部接続Ｉ／Ｆ４０８は、外部装置とのインタフェースである。外部装置には、例えば、移動通信装置１０２、記録媒体３１０等が含まれる。データ管理装置１０３は、外部接続Ｉ／Ｆ４０８を介して、例えば、移動通信装置１０２と有線通信を行うことができる。或いは、データ管理装置１０３は、外部接続Ｉ／Ｆ４０８を介して、記録媒体３１０の読取り及び／又は書き込みを行うことができる。これにより、データ管理装置１０３は、例えば、記録媒体３１０を介して、１つ以上の移動通信装置１０２に記憶された所定のデータ（例えば、映像データ）を収集することができる。
【００４９】
バス４０９は、上記の各構成要素に接続され、アドレス信号、データ信号、及び各種制御信号等を伝送する。
【００５０】
＜機能構成＞
続いて、データ転送システム１００の機能構成について説明する。
【００５１】
図５は、一実施形態に係るデータ転送システムの機能構成の一例を示す図である。
【００５２】
（データ転送装置の機能構成）
データ転送装置１０１は、例えば、無線通信部５１１、通信制御部５１２、認証部５１３、データ取得部５１４、取得データ記憶部５１５、及び転送制御部５１６等を有する。
【００５３】
無線通信部５１１は、所定の範囲内において所定のデータを所定の無線通信で転送可能な通信手段であり、例えば、図２の無線通信装置２０６、及び図２のＣＰＵ２０１で実行されるプログラム等によって実現される。
【００５４】
例えば、図１において、データ転送装置１０１の一例である監視カメラ１０１Ａの無線通信部５１１は、無線通信部５１１の通信範囲１１０内において、映像データを、ミリ波無線通信等の高速の無線通信で、移動通信装置１０２−３に転送することができる。
【００５５】
通信制御部５１２は、無線通信部５１１の通信範囲１１０内で検知された移動通信装置１０２との、無線通信部５１１による無線通信の接続、切断等の通信制御を行う手段であり、例えば、図２のＣＰＵ２０１で実行されるプログラムによって実現される。
【００５６】
好ましくは、通信制御部５１２は、無線通信部５１１の通信範囲１１０内にある移動通信装置１０２−３から受信した電波の強度がしきい値以上である場合、移動通信装置１０２−３との無線通信を確立する。また、通信制御部５１２は、移動通信装置１０２−３との通信中に、移動通信装置１０２−３から受信した電波の強度がしきい値未満となった場合、移動通信装置１０２−３との無線通信を切断する。
【００５７】
認証部５１３は、無線通信部５１１の通信範囲１１０内で検知された移動通信装置１０２−３が、予め定められた移動通信装置１０２であるかを検証する手段であり、例えば、図２のＣＰＵ２０１で実行されるプログラムによって実現される。
【００５８】
例えば、認証部５１３は、移動通信装置１０２から送信される移動通信装置１０２を識別するための識別情報（以下、装置ＩＤと呼ぶ）や、認証情報等を用いて、移動通信装置１０２の認証を行う。
【００５９】
データ取得部５１４は、例えば、図２のカメラ２０４で撮影された映像データ等の所定のデータを取得する手段であり、例えば、図２のＣＰＵ２０１で実行されるプログラムによって実現される。なお、データ取得部５１４が取得する所定のデータの一例である映像データには、例えば、図２のマイク２０５で収音された音声データ等が含まれていても良い。又、データ取得部５１４が取得する所定のデータは、映像データ以外のデータであっても良い。
【００６０】
取得データ記憶部５１５は、データ取得部５１４が取得した所定のデータ（例えば、映像データ）を記憶する手段であり、例えば、図２のストレージ装置２０３、及び図２のＣＰＵ２０１で実行されるプログラム等によって実現される。
【００６１】
好ましくは、取得データ記憶部５１５は、データ取得部５１４が取得した所定のデータを、所定の単位に分割してストレージ装置２０３等に記憶する。例えば、所定のデータが映像データである場合、取得データ記憶部５１５は、データ取得部５１４が取得した映像データを所定の時間単位（例えば、１０分〜１時間単位等）に分割して記憶する。
【００６２】
転送制御部５１６は、無線通信部５１１を用いて、所定の範囲内で検知された、転送先に移動する移動通信装置１０２に、取得データ記憶部５１５に記憶した所定のデータを転送する。転送制御部５１６は、例えば、図２のＣＰＵ２０１で実行されるプログラムによって実現される。
【００６３】
例えば、図１において、データ転送装置１０１の一例である監視カメラ１０１Ａの転送制御部５１６は、監視カメラ１０１Ａの通信範囲１１０内で検知された移動通信装置１０２−３に、取得データ記憶部５１５に記憶した映像データを転送する。
【００６４】
上記の構成により、データ転送装置１０１は、所定のデータを取得して記憶し、無線通信部５１１の通信範囲内で検知された移動通信装置１０２に、記憶した所定のデータを転送する。
【００６５】
（移動通信装置の機能構成）
移動通信装置１０２は、無線通信部５２１、転送データ記憶部５２２、有線通信部５２３、認証部５２４等を有する。
【００６６】
無線通信部５２１は、データ転送装置１０１の無線通信部５１１の通信範囲内において、無線通信部５１１と通信を行い、データ転送装置１０１から送信される所定のデータ（例えば、映像データ）を受信する。無線通信部５２１は、例えば、図３の無線通信装置３０４、及び図３のＣＰＵ３０１で実行されるプログラム等によって実現される。
【００６７】
また、無線通信部５２１は、データ管理装置１０３の無線通信部５３１と通信を行い、転送データ記憶部５２２に記憶した所定のデータを、データ管理装置１０３に転送する。
【００６８】
転送データ記憶部５２２は、無線通信部５２１が、データ転送装置１０１から受信した所定のデータ（転送データ）を記憶する手段であり、例えば、図３のストレージ装置３０３、及び図３のＣＰＵ３０１で実行されるプログラム等によって実現される。
【００６９】
有線通信部５２３は、データ管理装置１０３、又は記録媒体３１０等との有線による通信を行う手段であり、例えば、図３の外部接続Ｉ／Ｆ３０５、及び図３のＣＰＵ３０１で実行されるプログラム等によって実現される。
【００７０】
移動通信装置１０２は、例えば、データ管理装置１０３が、無線通信部５３１を有していない場合、有線通信部５２３により、転送データ記憶部５２２に記憶した所定のデータを、データ管理装置１０３に受け渡すことができる。
【００７１】
認証部５２４は、無線通信部５２１と通信を行うデータ転送装置１０１、又はデータ管理装置１０３等を認証する手段であり、例えば、図３のＣＰＵ３０１で実行されるプログラムによって実現される。
【００７２】
上記の構成により、移動通信装置１０２は、データ転送装置１０１の通信範囲内で、データ転送装置１０１から受信した所定のデータを記憶し、記憶したデータをデータ管理装置１０３の通信範囲内でデータ管理装置１０３に転送することができる。
【００７３】
（データ管理装置の機能構成）
データ管理装置１０３は、無線通信部５３１、データ管理部５３２、有線通信部５３３、認証部５３４等を有する。
【００７４】
無線通信部５３１は、移動通信装置１０２の無線通信部５２１と通信を行い、移動通信装置１０２の転送データ記憶部５２２に記憶された所定のデータ（転送データ）を受信する。無線通信部５３１は、例えば、図４の無線通信装置４０５、及び図４のＣＰＵ４０１で実行されるプログラム等によって実現される。
【００７５】
データ管理部５３２は、無線通信部５３１、又は有線通信部５３３を用いて、１つ以上の移動通信装置１０２に転送された所定のデータ（例えば、映像データ）を収集し、例えば、図４のストレージ装置４０４や、外部サーバ等に記憶して、管理する。
【００７６】
有線通信部５３３は、移動通信装置１０２、又は記録媒体３１０等との有線による通信を行う手段であり、例えば、図４の外部接続Ｉ／Ｆ４０８、及び図４のＣＰＵ４０１で実行されるプログラム等によって実現される。
【００７７】
認証部５３４は、無線通信部５３１と通信を行う移動通信装置１０２等を認証する手段であり、例えば、図４のＣＰＵ４０１で実行されるプログラムによって実現される。
【００７８】
上記の構成により、データ管理装置１０３は、１つ以上の移動通信装置１０２に転送された所定のデータを収集して管理することができる。
【００７９】
なお、図５に示すデータ転送システム１００のシステム構成は一例であり、データ転送システム１００は、様々なシステム構成が可能である。
【００８０】
（別の一例）
図６は、一実施形態に係る転送システムの機能構成の別の一例である。
【００８１】
例えば、図２に示すデータ転送装置１０１は、カメラ２０４、マイク２０５等を有しているが、データ転送装置１０１は、例えば、図６に示すように、外部カメラ６０１を用いて、映像データ（画像データ、音声データ等）を取得するものであっても良い。
【００８２】
また、図５に示すデータ転送装置１０１は、無線通信部５１１、通信制御部５１２、認証部５１３等を有しているが、これらの機能構成のうち、少なくとも一部は、例えば、図６に示すように、外部の無線通信装置６０２が有していても良い。
【００８３】
さらに、図６に示すデータ転送システム１００では、所定のデータを転送する転送先のデータ管理装置１０３にデータ管理部５３２が設けられているが、データ管理部５３２は、移動通信装置１０２に含まれていても良い。この場合、移動通信装置１０２が、転送先に移動することにより、所定のデータが転送先に転送される。
【００８４】
＜処理の流れ＞
続いて、データ転送システム１００によるデータ転送方法の処理の流れについて説明する。
【００８５】
（データ転送装置の転送処理）
図７は、一実施形態に係るデータ転送装置の転送処理の例を示すフローチャートである。なお、ここでは、一例として、データ転送装置１０１が取得し、転送する所定のデータが映像データであるものとして以下の説明を行う。
【００８６】
ステップＳ７０１において、データ転送装置１０１のデータ取得部５１４は、映像データ（所定のデータの一例）を取得する。
【００８７】
ステップＳ７０２において、データ転送装置１０１の取得データ記憶部５１５は、データ取得部５１４が取得した映像データを、所定の時間単位（例えば、１時間単位等）で記憶する。
【００８８】
ステップＳ７０３において、データ転送装置１０１の転送制御部５１６は、取得データ記憶部５１５が記憶した未転送のデータがあるか否かを判断する。
【００８９】
取得データ記憶部５１５が記憶した未転送のデータがない場合、転送制御部５１６は、例えば、処理をステップＳ７０１に戻す。一方、取得データ記憶部５１５が記憶した未転送のデータがある場合、転送制御部５１６は、処理をステップＳ７０４に移行させる。
【００９０】
ステップＳ７０４に移行すると、データ転送装置１０１の通信制御部５１２は、無線通信部５１１の通信範囲内（所定の範囲内）に、移動通信装置１０２があるか否かを判断する。
【００９１】
無線通信部５１１の通信範囲内（所定の範囲内）に移動通信装置１０２がない場合、通信制御部５１２は、例えば、処理をステップＳ７０１に戻す。一方、無線通信部５１１の通信範囲内（所定の範囲内）に移動通信装置１０２がある場合、通信制御部５１２は、処理をステップＳ７０５に移行させる。
【００９２】
ステップ７０５に移行すると、データ転送装置１０１の認証部５１３は、無線通信部５１１の通信範囲内にある移動通信装置１０２が、予め定められた移動通信装置１０２であるかを検証するために認証を行う。なお、予め定められた移動通信装置１０２とは、例えば、所定の転送先に移動する移動通信装置１０２であり、例えば、管理者等により、移動通信装置１０２を識別する装置ＩＤ等がデータ転送装置１０１に予め設定されているものとする。
【００９３】
無線通信部５１１の通信範囲内にある移動通信装置１０２の認証に失敗した場合、認証部５１３は、例えば、処理をステップＳ７０１に戻す。一方、無線通信部５１１の通信範囲内にある移動通信装置１０２の認証に成功した場合、認証部５１３は、処理をステップＳ７０６に移行させる。
【００９４】
ステップＳ７０６に移行すると、データ転送装置１０１の転送制御部５１６は、取得データ記憶部５１５が記憶した映像データを、無線通信部５１１を用いて、認証に成功した移動通信装置１０２に転送（送信）する。
【００９５】
ステップＳ７０７において、データ転送装置１０１の転送制御部５１６は、取得データ記憶部５１５が記憶した映像データの転送に成功したか否かを判断する。
【００９６】
取得データ記憶部５１５が記憶した映像データの転送に失敗した場合、転送制御部５１６は、例えば、処理をステップＳ７０１に戻す。一方、取得データ記憶部５１５が記憶した映像データの転送に成功した場合、転送制御部５１６は、転送に成功した映像データを、取得データ記憶部５１５から削除する。
【００９７】
上記の処理により、データ転送装置１０１は、取得した映像データを所定の時間単位で記憶し、記憶した映像データを通信範囲内にある移動通信装置１０２に転送する。また、データ転送装置１０１は、転送に成功した映像データを削除する。これにより、データ転送装置１０１は、同じデータが複数の移動通信装置１０２に転送されることを低減させることができる。
【００９８】
さらに、データ転送装置１０１は、転送に失敗映像データは削除せず、次に、データ転送装置１０１の通信範囲内で検知された別の移動通信装置１０２に転送する。これにより、データ転送装置１０１は、映像データが失われることを防止し、より確実に転送先に転送することができるようになる。
【００９９】
（移動通信装置の転送処理）
図８は、一実施形態に係る移動通信装置の転送処理の例を示すフローチャートである。
【０１００】
ステップＳ８０１において、移動通信装置１０２の無線通信部５２１は、無線通信部５２１の通信範囲内にデータ転送装置１０１があるか否かを判断する。
【０１０１】
無線通信部５２１の通信範囲内にデータ転送装置１０１がない場合、無線通信部５２１は、処理をステップＳ８０１に戻して同様の処理を繰り返す。一方、無線通信部５２１の通信範囲内にデータ転送装置１０１がある場合、無線通信部５２１は、処理をステップＳ８０２に移行させる。  
ステップ８０２に移行すると、移動通信装置１０２の認証部５２４は、無線通信部５２１の通信範囲内にあるデータ転送装置１０１の認証を行う。
【０１０２】
無線通信部５２１の通信範囲内にあるデータ転送装置１０１の認証に失敗した場合、認証部５２４は、例えば、処理をステップＳ８０１に戻す。一方、無線通信部５２１の通信範囲内にあるデータ転送装置１０１認証に成功した場合、認証部５２４は、処理をステップＳ８０３に移行させる。
【０１０３】
ステップＳ８０３に移行すると、移動通信装置１０２の無線通信部５２１は、認証が成功したデータ転送装置１０１から転送（送信）される映像データを受信する。
【０１０４】
ステップＳ８０４において、移動通信装置１０２の転送データ記憶部５２２は、データ転送装置１０１から転送される映像データの受信に成功したか否かを判断する。例えば、転送データ記憶部５２２は、データ転送装置１０１から送信される映像データのファイルを最後まで受信したとき、映像データの受信に成功したと判断する。一方、転送データ記憶部５２２は、データ転送装置１０１から送信される映像データのファイルを最後まで受信できなかったとき、映像データの受信に失敗したと判断する。
【０１０５】
データ転送装置１０１から転送される映像データの受信に成功した場合、転送データ記憶部５２２は、ステップＳ８０５において、受信に成功した映像データを、例えば、図３のストレージ装置３０３等に記憶する。
【０１０６】
一方、データ転送装置１０１から転送される映像データの受信に失敗した場合、転送データ記憶部５２２は、ステップＳ８０６において、例えば、図２のＲＡＭ３０２、又はストレージ装置３０３等に一時的に記憶した、受信に失敗した映像データを削除する。
【０１０７】
上記の処理により、移動通信装置１０２は、移動通信装置１０２の通信範囲内にあるデータ転送装置から転送される映像データを受信し、転送データ記憶部５２２が記憶する。
【０１０８】
（データ転送システムの転送処理１）
図９は、一実施形態に係るデータ転送システムの転送処理の例を示すシーケンス図（１）である。なお、図９に示す移動通信装置１０２は、例えば、図１に示すように、バス等の輸送機器に備えられ、道路１０４上の所定の経路を通って、転送先であるデータ管理装置１０３が設けられたバスターミナル１０７に移動するものとする。
【０１０９】
ステップＳ９０１において、データ転送装置１０１のデータ取得部５１４は、映像データ（所定のデータの一例）を取得する。
【０１１０】
ステップＳ９０２において、データ転送装置１０１の取得データ記憶部（データ記憶部）５１５は、データ取得部５１４が取得した映像データを記憶する。
【０１１１】
ステップＳ９０３ａ〜Ｓ９０３ｃにおいて、データ転送装置１０１の無線通信部５１１は、例えば、無線通信部５１１の通信範囲内にある移動通信装置１０２を検索する検索信号を、例えば、ミリ波無線通信等の所定の無線通信で継続的に送信する。
【０１１２】
ステップＳ９０３ｃにおいて、データ転送装置１０１の通信範囲内に移動してきた移動通信装置１０２の無線通信部５２１は、例えば、データ転送装置１０１から送信される検索信号を受信する。これにより、移動通信装置１０２は、所定の範囲内にデータ転送装置１０１があると判断することができる。
【０１１３】
ステップＳ９０４において、移動通信装置１０２の無線通信部５２１は、受信した検索信号に対して、検索応答信号を所定の無線通信で返信する。これにより、データ転送装置１０１の通信制御部５１２は、所定の範囲内に移動通信装置１０２があることを認識することができる。
【０１１４】
ステップＳ９０６において、データ転送装置１０１の認証部５１３と、移動通信装置１０２の認証部５２４は、例えば、相互に認証を行う。この認証が成功した場合、ステップＳ９０６以降の処理が実行される。
【０１１５】
ステップＳ９０６において、データ転送装置１０１の転送制御部５１６は、無線通信部５１１の通信範囲内で検知された移動通信装置１０２に、取得データ記憶部５１５に記憶した映像データを送信（転送）する。
【０１１６】
ステップＳ９０７において、移動通信装置１０２の無線通信部５２１は、データ転送装置１０１から送信された映像データを受信し、転送データ記憶部５２２は、受信した映像データを記憶する。
【０１１７】
ステップＳ９０８において、移動通信装置１０２の無線通信部５２１は、データの転送が完了したことを示す完了通知を、データ転送装置１０１に送信する。
【０１１８】
ステップＳ９０９において、データ転送装置１０１の転送制御部５１６は、取得データ記憶部５１５に記憶された映像データのうち、送信した映像データを削除する。
【０１１９】
ステップＳ９１０において、例えば、移動通信装置１０２が、例えば、図１のバスターミナル１０７等に移動し、無線通信部５２１が、データ管理装置１０３の無線通信部５３１から送信された検索信号を受信する。
【０１２０】
ステップＳ９１１において、移動通信装置１０２の無線通信部５２１は、受信した検索信号に応じて、検索応答信号を返信する。
【０１２１】
ステップＳ９１２において、移動通信装置１０２の認証部５２４と、データ管理装置１０３の認証部５３４との間で相互に認証が行われる。
【０１２２】
ステップＳ９１３において、移動通信装置１０２の無線通信部５２１は、転送データ記憶部５２２に記憶した、データ転送装置１０１から転送された映像データを、データ管理装置１０３に送信する。
【０１２３】
ステップＳ９１４において、データ管理装置１０３のデータ管理部５３２は、移動通信装置１０２から送信される映像データを、無線通信部５３１を介して収集し、収集した映像データを、例えば、ストレージ装置４０４等に記憶して、管理する。
【０１２４】
上記の処理により、データ転送装置１０１は、取得した大容量の映像データを転送先（例えば、データ管理装置１０３）に転送するために十分な通信環境が得られない状況において、移動通信装置１０２を介して、転送先に転送することができるようになる。
【０１２５】
（データ転送システムの転送処理の別の一例）
図１０は、一実施形態に係るデータ転送処理の例を示すシーケンス図（２）である。なお、図１０のステップＳ９０１〜Ｓ９０６の処理は、図９のステップＳ９０１〜Ｓ９０６の処理と同様なので、ここでは、図９との相違点を中心に説明を行う。
【０１２６】
ステップＳ１００１において、データ転送装置１０１から、移動通信装置１０２−２に映像データを送信している間に、通信が切断されるものとする。
【０１２７】
ステップＳ１００２において、移動通信装置１０２−２の転送データ記憶部５２２は、映像データの受信が完了するまえに通信が切断されると、映像データの受信に失敗したと判断し、受信中の映像データを削除する。
【０１２８】
ステップＳ１００３ａ〜Ｓ１００３ｂにおいて、データ転送装置１０１の無線通信部５１１は、移動通信装置１０２−２との通信が切断されると、再び、所定の無線通信で検索信号の送信を再開する。
【０１２９】
ステップＳ１００３ｂにおいて、データ転送装置１０１の通信範囲内に移動してきた他の移動通信装置１０２−３の無線通信部５２１は、例えば、データ転送装置１０１から送信される検索信号を受信する。
【０１３０】
ステップＳ１００４において、移動通信装置１０２−３の無線通信部５２１は、受信した検索信号に対して、検索応答信号を所定の無線通信で返信する。
【０１３１】
ステップＳ１００５において、データ転送装置１０１の認証部５１３と、移動通信装置１０２−３の認証部５２４は、例えば、相互に認証を行う。
【０１３２】
ステップＳ１００６において、データ転送装置１０１の転送制御部５１６は、無線通信部５１１の通信範囲内で検知された移動通信装置１０２−３に、ステップＳ９０６で転送に失敗した映像データを送信（転送）する。
【０１３３】
ステップＳ１００７において、移動通信装置１０２−３の無線通信部５２１は、データ転送装置１０１から送信された映像データを受信し、転送データ記憶部５２２は、受信した映像データを記憶する。
【０１３４】
ステップＳ１００８において、移動通信装置１０２−３の無線通信部５２１は、データの転送が完了したことを示す完了通知を、データ転送装置１０１に送信する。
【０１３５】
ステップＳ１００９において、データ転送装置１０１の転送制御部５１６は、取得データ記憶部５１５に記憶された映像データのうち、送信した映像データを削除する。
【０１３６】
上記の処理により、データ転送装置１０１は、移動通信装置１０２−２への転送に失敗した映像データを、無線通信部５１１の通信範囲内で検知された別の移動通信装置１０２−３に転送する。これにより、例えば、図１において、データ転送装置１０１が備えられたバス等の輸送機器が、信号機１０６や、バス停１０９等に停車しない場合でも、次に来た輸送機器に設けられた移動通信装置１０２に映像データを転送することができる。
【０１３７】
（転送データの例）
図１１は、一実施形態に係る転送データのイメージの例を示す図である。
【０１３８】
データ転送装置１０１の取得データ記憶部５１５は、データ取得部５１４が取得した映像データを、例えば、所定の時間毎に、例えば、図１１（ａ）に示すような映像データ１１０１として記憶する。
【０１３９】
図１１（ａ）の例では、映像データ１１０１には、「装置ＩＤ」、「日時情報」、「データ」等が含まれる。
【０１４０】
「装置ＩＤ」は、データ転送装置１０１を識別するための識別情報である。これにより、転送先のデータ管理装置１０３は、移動通信装置１０２から収集した映像データを取得したデータ転送装置１０１を特定することができる。「日時情報」は、データ転送装置１０１が、映像データを取得した日時を示す情報であり、例えば、取得を開始した時刻等が含まれる。「データ」は、映像データの本体が含まれる。
【０１４１】
データ転送装置１０１は、例えば、図１１（ａ）に示すような映像データを所定の時間毎に記憶し、移動通信装置１０２に転送する。
【０１４２】
また、別の一例として、データ転送装置１０１は、図１１（ａ）に示すような映像データ１１０１を、図１１（ｂ）に示すような複数の転送データ１１０２−１〜１１０２―Ｎ（Ｎは、２以上の整数）に分割して、移動通信装置１０２に転送するものであっても良い。
【０１４３】
複数の転送データ１１０２−１〜１１０２―Ｎは、映像データ１１０１を複数に分割したものであり、例えば、映像データ１１０１と共通の「装置ＩＤ」、及び「日時情報」を有している。さらに、転送データ１１０２−１は、映像データ１１０１をＮ個に分割した転送データのうち、１つめのデータであることを示す分割番号「１／Ｎ」の情報を含む。同様に、転送データ１１０２−Ｎは、映像データ１１０１をＮ個に分割した転送データのうち、Ｎこめのデータであることを示す分割番号「Ｎ／Ｎ」の情報を含む。
【０１４４】
転送先のデータ管理装置は、１つ以上の移動通信装置１０２から収集した複数の転送データを、「装置ＩＤ」、「日時情報」、「分割番号」に基づいて、１つの映像データに復元して管理する。なお、図１１に示す映像データ１１０１、及び複数の転送データ１１０２−１〜１１０１−Ｎは、あくまで一例である。
【０１４５】
（通信制御処理）
図１２は、一実施形態に係る通信制御の処理の例を示すフローチャートである。
【０１４６】
好ましくは、データ転送装置１０１の通信制御部５１２は、図１２に示す通信制御処理を実行する。
【０１４７】
ステップＳ１２０１において、データ転送装置１０１の通信制御部５１２は、無線通信部５１１の通信範囲内に移動通信装置１０２があると判断すると、ステップＳ１２０２以降の処理を実行する。
【０１４８】
ステップＳ１２０２において、通信制御部５１２は、移動通信装置１０２から受信した電波の強度が、第１のしきい値以上であるか否かを判断する。第１のしきい値は、例えば、無線通信部５１１が、所定の転送速度で映像データを移動通信装置１０２に送信するために十分な値が、予め設定されているものとする。
【０１４９】
受信した電波の強度が第１のしきい値以上でない場合、通信制御部５１２は、移動通信装置１０２との通信を確立せずに、処理を終了させる。
【０１５０】
一方、受信した電波の強度が第１のしきい値以上である場合、通信制御部５１２は、処理をステップＳ１２０３に移行させる。
【０１５１】
ステップＳ１２０３に移行すると、通信制御部５１２は、無線通信部５１１を用いて、移動通信装置１０２との通信を確立する。
【０１５２】
ステップＳ１２０３において、通信制御部５１２は、通信中の移動通信装置１０２から受信した電波の強度が、第２のしきい値未満か否かを判断する。第２のしきい値は、例えば、無線通信部５１１が、所定の転送速度で映像データを移動通信装置１０２に送信するために十分な値が、予め設定されているものとする。なお、第２のしきい値は、第１のしきい値と同じ値であっても良いし、異なる値であっても良い。
【０１５３】
受信した電波の強度が、第２のしきい値未満でない場合、通信制御部５１２は、処理のステップＳ１２０４に戻して、同様の処理を繰り返す。これにより、通信中の移動通信装置１０２との通信が継続される。
【０１５４】
一方、受信した電波の強度が、第２のしきい値未満である場合、通信制御部５１２は、通信中の移動通信装置１０２との通信を切断し、データ転送を失敗とする。
【０１５５】
上記の処理により、通信制御部５１２は、通信の品質を確保し、他の移動通信装置１０２の検索を開始することができるようになる。
【０１５６】
なお、図１２の処理において、電波の強度は、移動通信装置１０２との通信品質を判断するための情報の一例である。通信品質を判断するための情報は、例えば、Ｓ／Ｎ比（Signal to Noise Ratio）、信号品質等の他の情報であっても良い。
【符号の説明】
【０１５７】
１００      データ転送システム
１０１      データ転送装置
１０２      移動通信装置（転送先の別の一例）
１０３      データ管理装置（転送先の一例）
５１１      無線通信部
５１２      通信制御部
５１３      認証部
５１４      データ取得部
５１５      取得データ記憶部（データ記憶部）
５１６      転送制御部
【先行技術文献】
【特許文献】
【０１５８】
【特許文献１】特開２００２−２７０１８号公報
【図１】
2017216519.tif 000003
【図２】
2017216519.tif 000004
【図３】
2017216519.tif 000005
【図４】
2017216519.tif 000006
【図５】
2017216519.tif 000007
【図６】
2017216519.tif 000008
【図７】
2017216519.tif 000009
【図８】
2017216519.tif 000010
【図９】
2017216519.tif 000011
【図１０】
2017216519.tif 000012
【図１１】
2017216519.tif 000013
【図１２】
2017216519.tif 000014